(57)【特許請求の範囲】
【請求項１】
ダイから押し出したパリソンをブロー成形用の金型で挟み、次いで内筒12外面に相互の上下動が可能に外筒13を嵌合させてその下端と内筒外面下部の外向きフランジ11との間に環状の弾性体14を挟持したノズル９を介してパリソン内に空気を吹き込み、胴部２より肩部３を介して口頸部４を起立した形状とした後、未だ軟化状態のうちに、内筒12の上方への引き上げにより弾性体14を圧縮変形させ、弾性体14の膨出部分により口頸部４内面を押圧して凹溝５を形成してなることを特徴とする合成樹脂製のボトル。
【請求項２】
上記請求項１記載のボトル１と、該ボトルの口頸部４内周に嵌合させるとともに、内周面に内方へ下るテーパ状の扱き22を突周設した扱き部材17と、口頸部４外周に周壁25を嵌合させて着脱可能に装着させたキャップ18と、該キャップより上記扱き22を介して垂下した軸20の先端部に延設した収納液を塗着する化粧具19とを備え、上記扱き部材17外周面より突設した突条21を、上記口頸部４内周の凹溝５に強制的に嵌合させて抜け出しを防止してなることを特徴とするマスカラ容器。
【発明の詳細な説明】
【０００１】
【発明の属する技術分野】
本発明はボトル及びその製造方法及び該ボトルを使用したマスカラ容器に関し、詳しくは、口頸部内面に嵌着させた付属部材が抜けだすのを確実に防止することができる合成樹脂製のボトルと、その製造方法及びそのボトルを使用して扱き部材を口頸部に確実に嵌着させたマスカラ容器とに関する。
【０００２】
【従来の技術】
合成樹脂製のボトルとして、ブロー成形により形成し、胴部より肩部を介して口頸部を起立した形態のものが知られている。これらのボトルは種々の用途があり、口頸部にキャップを着脱自在に嵌着させた極一般的な用法の外に、キャップだけでなく口頸部内に付属部材を嵌着して使用する場合も多々ある。
【０００３】
例えば、マスカラ容器の如く、キャップに付設して容器体内に垂下させた軸を介して化粧はけや化粧筆を付設させ、これらのはけや筆の余分な付着液をそぎ落とす目的で、口頸部内に内方へ下るテーパ状をなす扱きを突周設した扱き部材を嵌着したものがある。
【０００４】
【発明が解決しようとする課題】
従来のこの種のボトルでは口頸部内面は平滑に形成されており、従ってこれら扱き部材等の付属部材を嵌着した際には当接面相互の摩擦力により抜け出しの防止を図っているが、その効果にはいまだ不十分である。特に、付属部材が扱き部材等の場合にはキャップを外す度に抜け出し方向に力がかかるため余計に付属部材が外れ易い。
【０００５】
また、この様な点を考慮して、付属部材の嵌合筒外面下部に突起を形成し、嵌合筒を口頸部内に強制的に嵌合させて突起を口頸部下面に係合することにより抜け出しを防止する如く構成したものも提案されている。これらはそれなりの効果はあるものの、突起を強制的に嵌合させるためにそれ程突出幅の大きいものは構造上無理があり、その結果、係合部分の面積が小さく抜け出し防止を図るにはなお不十分なところがある。
【０００６】
本発明は上記した点に鑑みてなされたもので、嵌着した付属部材を確実に固定することができ、使用時に抜け出す等の不都合を生じることがなく、しかも簡単な構造でそれらの効果を発揮することができる合成樹脂製のボトルを提案するものである。
【０００７】
また、本発明では、上記したボトルを簡単に、しかも安価に、しかもシャープな凹溝を備えて製造することができる製造方法を提案するものである。
【０００８】
更に、本発明では、上記したボトルを利用し、扱き部材が抜け出す等の不都合の生じることのないマスカラ容器を提案するものである。
【０００９】
【課題を解決するための手段】
第１の手段として、以下の通り構成した。即ち、胴部２より肩部３を介して口頸部４を起立するとともに、口頸部４内周に凹溝５を周設してなることを特徴とする合成樹脂製のボトルとして構成した。
【００１０】
第２の手段として、以下の通り構成した。即ち、ブロー成形により胴部２より肩部３を介して口頸部４を起立したボトル1aを形成し、該ボトル1aの口頸部内に回転可能且つ所定半径での回動が可能な刃８を垂下したカッター６により口頸部４の所定位置に凹溝５を形成してなることを特徴とする第１の手段のボトルの製造方法として構成した。
【００１１】
第３の手段として、以下の通り構成した。即ち、ダイから押し出したパリソンをブロー成形用の金型で挟み、次いで内筒12外面に相互の上下動が可能に外筒13を嵌合させてその下端と内筒外面下部の外向きフランジ11との間に環状の弾性体14を挟持したノズル９を介してパリソン内に空気を吹き込み、胴部２より肩部３を介して口頸部４を起立した形状とした後、未だ軟化状態のうちに、内筒12の上方への引き上げにより弾性体14を圧縮変形させ、弾性体14の膨出部分により口頸部４内面を押圧して凹溝５を形成してなることを特徴とする合成樹脂製のボトル。
【００１２】
第４の手段として、以下の通り構成した。即ち、第３の手段のボトル１と、該ボトルの口頸部４内周に嵌合させるとともに、内周面に内方へ下るテーパ状の扱き22を突周設した扱き部材17と、口頸部４外周に周壁25を嵌合させて着脱可能に装着させたキャップ18と、該キャップより上記扱き22を介して垂下した軸20の先端部に延設した収納液を塗着する化粧具19とを備え、上記扱き部材17外周面より突設した突条21を、上記口頸部４内周の凹溝５に強制的に嵌合させて抜け出しを防止してなることを特徴とするマスカラ容器として構成した。
【００１３】
【発明の実施の形態】
以下、本発明の実施の形態を図面を参照して説明する。
【００１４】
図面にある如く本発明のボトル１は、合成樹脂により形成されたもので、筒状の胴部２上端縁より肩部３を介して口頸部４を起立して構成している。また、口頸部４内周面の所定位置には凹溝５を周設している。該凹溝５は、口頸部４内面に付属部材を嵌合させる際にその抜け出しを防止するための手段の一部を構成するものであり、その断面形状は種々の形状を採用することができる。また、その設置位置は口頸部４内面の必要に応じた任意位置に設置する。
【００１５】
上記ボトルを製造する方法として、公知のブロー成形方法を利用して行う。即ち、ブロー成形方法により胴部より肩部を介して口頸部を起立したボトルを得る。次いで、口頸部上方より回転可能且つ所定半径での回動が可能な刃を垂下したカッターにより口頸部内周の所定位置に凹溝を形成する。
【００１６】
公知のブロー成形方法としては、ダイからパリソンを押し出し、これを直ちに吹き込み成形用の金型で挟み、パリソン内に空気を吹き込んでボトルを得るダイレクトブロー方法、或いは射出成形によってパリソンを成形した後に吹き込み成形を行う射出吹き込み成形法、或いはパイプを一旦成形して所定寸法に切断した後、これを加熱して成形を行うコールドパリソン法等の公知方法を採用できる。
【００１７】
図２及び図３は凹溝付与方法の一例を示し、図２(a) 或いは図３(a) に示す如く、胴部２より肩部３を介して口頸部４を起立したボトル1aを適宜手段（図示せず）により固定し、上方より口頸部４内にカッター６を挿入する。カッター６はその軸７の先端に刃８を設け、軸７を中心に刃８が回転可能であり、また、軸７は所定半径での回動が可能に設置しており、それに伴い刃８も所定半径での回動が可能であり、更に回動半径を変える微調整が可能に構成している。次いで図２(b) 或いは図３(b) に示す如くカッター６を回転させつつ且つ所定半径で口頸部４内面に沿って回動させて所定位置に所定形状の凹溝５を形成する。
【００１８】
また、上記ボトルの製造方法の別の方法として、ダイから押し出したパリソンを吹き込み成形用の金型で挟み、次いで内筒外面に相互の上下動が可能に外筒を嵌合させてその下端と内筒外面下部の外向きフランジとの間に環状の弾性体を挟持したノズルを介してパリソン内に空気を吹き込み、胴部より肩部を介して口頸部を起立したボトルを得た後、ボトルが未だ軟化状態のうちに内外いずれかの筒の移動により弾性体を外方へ膨出する如く圧縮変形させ、膨出部分により口頸部内面を押圧して凹溝を形成する。
【００１９】
図４でその一例を説明すると、図４(a) は金型10に挟んだパリソンをノズル９より空気を吹き込んで所定形状のボトル1aを形成した状態であり、また、ボトル1aは金型10内に口頸部４上端縁より肩部３を介して口頸部４を起立し且つ軟化状態で存在する。
【００２０】
ノズル９はその内部を介して空気を吹き込むものであり、コンプレッサー等の適宜エア供給手段と連結している。また、外面下端より外向きフランジ11を突設するとともに、上方への引上げが可能に構成した内筒12と、該内筒12外面に下端を上記外向きフランジ11と所定間隔をあけて嵌合させるとともに、挿入位置での移動を防止して固定した外筒13と、外筒13下面と外向きフランジ11上面との間に介在させたリング状の弾性体14とを備えている。弾性体14は弾力性に富み且つ耐熱性に優れたものであれば種々のものが使用でき、例えば、合成ゴム等が使用でき特に限定されない。
【００２１】
そして、この状態から内筒12を引き上げると弾性圧縮された弾性体14は逃げ場を失い、外方へ膨出して軟化状態の口頸部４内面を押圧し、図４(b) に示す如く所定位置に凹溝５を凹設する。次いで、冷却後離型して口頸部内面に凹溝を備えたボトル１を得ることができる。この場合ブロー成形の過程で凹溝を付与することができ、時間的ロスも少なく、切削カスを生じることもなく凹溝を付与することができる。
【００２２】
図５に於いて他の一例を説明すると、図５(a) に示す如く、ノズル９は基本的に同様の内筒12と、外筒13と、弾性体14とを備えた構成は基本的に図４の場合と同様であるが、この場合には内筒12を挿入位置での移動を防止して固定しており、外筒13を内筒12に対して押し下げが可能に構成している。また、外筒13の下面内側にフランジ11上面と所定間隔を開けた環状突片15を突設して該突片15の内側に突片より縦長所定長さの弾性体14を嵌合させている。
【００２３】
そして、この状態から外筒13を押し下げると、弾性圧縮された弾性体14は同様に外方へ膨出して口頸部４内面を押圧し、図５(b) に示す如く所定位置に凹溝５を凹設する。この際環状突片15の存在により、圧縮された弾性体14はより確実に外方へ膨出させることができる。
【００２４】
図６は上記した本発明ボトル１を使用して形成したマスカラ容器16を示す。該容器16は、上記したボトル１と、扱き部材17と、キャップ18と、化粧具19付き軸20とを備えている。
【００２５】
扱き部材17は、上記口頸部４内周に嵌合させた筒状をなすとともに、外面より凹溝５に強制的に嵌合させた突条21を突設し、内周面に内方へ下るテーパ状の扱き22を突設している。また、上端縁より外方へ延設したフランジ23を口頸部４上面に当接係止させており、外周下部より突設した係合突条24を口頸部４下面に強制的に乗越え係合させている。
【００２６】
キャップ18は、口頸部４外周に周壁25を嵌合させて着脱可能に装着しており、周壁25上端縁より頂壁26を延設して構成している。
【００２７】
化粧具19は、キャップ18より扱き22を介して垂下した軸20の先端に延設したもので、収納液を塗着するはけや筆の形態をなしている。軸20の上端部はキャップ周壁25内周に嵌合させた嵌合筒27下端より横壁28を延設した取付部下面より一体に垂設している。また、軸20外周上部には、装着時に下面が扱き22上面と当接する筒29を嵌着させており、軸20の引き抜きにより上方にまくれ上がる扱き22を再び元の状態に押し戻す役割を果たしている。
【００２８】
この様に構成したマスカラ容器16は、キャップ18を外すとそれに伴って化粧具19が引き出され、この際、扱き22により過剰な液をそぎ落とす。そして、化粧具19に付着した収納液を該当箇所に塗布させる。
【００２９】
【発明の効果】
以上説明した如く本発明のボトルは、既述構成としたことにより、付属部材を口頸部４内に嵌着固定する際に、抜け出しを防止して強固に嵌着することができ、付属部材が抜け出し方向に力を受ける場合が多いものであっても、確実に抜け出しの防止を図ることができる。
【００３２】
また、第４の手段のマスカラ容器は、扱き部材17をボトル口頸部４に確実強固に固定することができ、化粧具を引き抜く度に扱き部材に掛かる抜け出し方向の力があっても外れることがない。
【図面の簡単な説明】
【図１】本発明ボトルの一実施例を示す縦断面図である。
【図２】本発明方法に於ける凹溝を付与する際の説明図である。
【図３】本発明方法に於ける凹溝を付与する際の他の説明図である。
【図４】本発明方法に於ける凹溝を付与する際の更に他の説明図である。
【図５】本発明方法に於ける凹溝を付与する際の更に他の説明図である。
【図６】本発明のマスカラ容器の一実施例を示す半断面図である。
【符号の説明】
１…ボトル，1a…ボトル，２…胴部，３…肩部，４…口頸部，５…凹溝，
６…カッター，８…刃，９…ノズル，11…フランジ，12…内筒，13…外筒，
14…弾性体，17…扱き部材，18…キャップ，19…化粧具，20…軸，
21…突条，22…扱き，25…周壁
【図１】
0004083451.tif 000002
【図２】
0004083451.tif 000003
【図３】
0004083451.tif 000004
【図４】
0004083451.tif 000005
【図５】
0004083451.tif 000006
【図６】
0004083451.tif 000007